(57)【要約】  あらかじめ湿らされたワイパシートのための封じ込め包装は、蒸発しやすい溶液であらかじめ湿らされた複数のワイパシートを受け入れて保管するように適合された内部を有している実質的に液体および蒸気不浸透性本体を有している。前記本体は、アクセス開口を介したワイパシートの出し入れに適したアクセス開口を有している。磁石を定める少なくとも一つの第一のシール要素が、前記内部の外側の位置にあるある第一の支持構造体に支持されている。前記第一のシール要素に磁気的に引き付けられる少なくとも一つの第二のシール要素が、前記内部の外側の位置にあるある第二の支持構造体に配置されている。前記第二の支持構造体は、前記アクセス開口を開閉するために前記第一の支持構造体に対して選択的に移動可能であり、前記第一の支持構造体は、前記第二の支持構造体に対して接触、反対関係に配置され、前記シール要素は、前記第一の支持構造体と前記第二の支持構造体を介して前記アクセス開口を閉じ状態に可逆的にシールするような磁気シールを共働して形成するように動作する。あらかじめ湿らされたワイパシートを包装する方法も提供される。
2014525879.tif 000002
【特許請求の範囲】
【請求項１】
あらかじめ湿らされたワイパシートのための封じ込め包装であり、前記封じ込め包装は、
蒸発しやすい溶液であらかじめ湿らされた複数のワイパシートを受け入れて保管するように適合された内部を有している実質的に液体および蒸気不浸透性本体を備えており、前記本体は、アクセス開口を介してワイパシートの出し入れに適したアクセス開口を有しており、前記封じ込め包装はまた、
前記内部の外側の位置にあるある第一の支持構造体に支持された磁石を定める少なくとも一つの第一のシール要素と、
前記第一のシール要素に対する相補的磁気引力を有している少なくとも一つの第二のシール要素を備えており、前記第二のシール要素は、前記内部の外側の位置にある第二の支持構造体に配置されており、前記第二の支持構造体は、前記アクセス開口を開閉するために前記第一の支持構造体に対して選択的に移動可能であり、前記第一の支持構造体は、前記第二の支持構造体に対して接触、反対関係に配置され、前記第一のシール要素と前記第二のシール要素は、前記第一の支持構造体と前記第二の支持構造体を介して前記アクセス開口を閉じ状態に可逆的にシールする磁気シールを共働して形成するように動作する、封じ込め包装。
【請求項２】
前記本体は、柔軟な拡張可能な封筒であり、前記アクセス開口は、前記封筒の第一の変形可能壁と前記封筒の第二の変形可能壁の間に配置されており、前記第一の変形可能壁は、前記第一のシール要素を支持する第一の支持構造体を定め、前記第二の変形可能壁は、前記第二のシール要素を支持する第二の支持構造体を定めている、請求項１に記載の封じ込め包装。
【請求項３】
前記柔軟な封筒は、ホイルラミネート材料から形成されている、請求項２に記載の封じ込め包装。
【請求項４】
前記第一のシール要素は、前記内部から離れて対向している前記第一の変形可能壁の表面を横切って前記アクセス開口の第一の境界縁に実質的に隣接して平行関係に配置された磁化ストリップであり、前記第二のシール要素は、前記内部から離れて対向している前記第二の変形可能壁の表面を横切って前記アクセス開口の第二の境界縁に実質的に隣接して平行関係に配置された磁化ストリップである、請求項２に記載の封じ込め包装。
【請求項５】
前記第一の境界縁は、前記第一の変形可能壁の一部分が前記第一のシール要素を覆って覆う関係に折り重ねられた折り重ね縁である、請求項４に記載の封じ込め包装。
【請求項６】
前記第一のシール要素を覆って覆う関係に折り重ねられた前記第一の変形可能壁の前記一部分は、前記第一のシール要素よりも下の位置で前記本体に固定されている、請求項５に記載の封じ込め包装。
【請求項７】
前記第二の境界縁は、前記第二の変形可能壁の一部部分が前記第二のシール要素を覆って覆う関係に折り重ねられた折り重ね縁である、請求項４に記載の封じ込め包装。
【請求項８】
前記第二のシール要素を覆って覆う関係に折り重ねられた前記第二の変形可能壁の前記一部分は、前記第二のシール要素よりも下の位置で前記本体に固定されている、請求項７に記載の封じ込め包装。
【請求項９】
前記本体は、柔軟な封筒であり、前記アクセス開口は、前記封筒の第一の変形可能壁と前記封筒の第二の変形可能壁の間に配置されており、前記第一の変形可能壁は、前記第一のシール要素を支持する第一の支持構造体を定め、前記第二の変形可能壁は、前記第二のシール要素を支持する第二の支持構造体を定めており、前記第一のシール要素と前記第二のシール要素はおのおの磁化された柔軟な強磁性体を備えており、前記第一の境界縁は、前記第一の変形可能壁の一部分が前記第一のシール要素を覆って覆う関係に折り重ねられた折り重ね縁であり、前記第一のシール要素を覆って覆う関係に折り重ねられた前記第一の変形可能壁の前記一部分は、前記第一のシール要素よりも下の位置で前記本体に固定されており、前記第二の境界縁は、前記第二の変形可能壁の一部部分が前記第二のシール要素を覆って覆う関係に折り重ねられた折り重ね縁であり、前記第二のシール要素を覆って覆う関係に折り重ねられた前記第二の変形可能壁の前記一部分は、前記第二のシール要素よりも下の位置で前記本体に固定されている、請求項１に記載の封じ込め包装。
【請求項１０】
前記本体は、前記アクセス開口が複数の周囲壁によって囲まれたトレーであり、一つの周囲壁から離れて径方向に延びているフランジが、前記フランジの下側を横切って配置された前記第一のシール要素を支持する前記第一の支持構造体を定め、前記アクセス開口を覆うように適合された取り外し可能な蓋が、前記蓋の上側表面を横切って配置された前記第二のシール要素を支持する前記第二の支持構造体を定めている、請求項１に記載の封じ込め包装。
【請求項１１】
前記取り外し可能な蓋は、リビングヒンジに沿ってトレーに効果的に連結される、請求項１０に記載の封じ込め包装。
【請求項１２】
前記第一のシール要素は、前記リビングヒンジを含まずに、前記トレーの周囲の実質的にまわりに第一のパターンで延びている複数の磁化ストリップを備えており、前記第二のシール要素は、前記リビングヒンジを含まずに、前記蓋の周囲のまわりに鏡像パターンで延びている複数の磁化ストリップを備えている、請求項１１に記載の封じ込め包装。
【請求項１３】
前記第一のシール要素は、ポリマーキャップ構造によって覆われている、請求項１０に記載の封じ込め包装。
【請求項１４】
前記第二のシール要素は、ポリマーキャップ構造によって覆われている、請求項１０に記載の封じ込め包装。
【請求項１５】
前記第一のシール要素と前記第二のシール要素は、おのおの、ポリマーキャップ構造によって覆われている、請求項１０に記載の封じ込め包装。
【請求項１６】
あらかじめ湿らされたワイパシートのための封じ込め包装であり、前記封じ込め包装は、
蒸発しやすい溶液であらかじめ湿らされた複数のワイパシートを受け入れて保管するように適合された内部を有している実質的に液体および蒸気不浸透性本体を備えており、前記本体は、アクセス開口を介してワイパシートの出し入れに適合されたアクセス開口を有しており、前記封じ込め包装はまた、
前記アクセス開口の縁に隣接して配置された所定極性の少なくとも一つの第一の磁化ストリップを備えており、前記第一の磁化ストリップは、前記内部の外側の位置にある第一の支持構造体の外側表面に支持されており、前記第一の磁化ストリップは、外部環境から実質的に隔離されるように覆われており、前記封じ込め包装はまた、
前記第一の磁化ストリップの極性の反対の所定極性の少なくとも一つの第二の磁化ストリップを備えており、前記第二の磁化ストリップは、前記内部の外側の位置にある第二の支持構造体の外側表面に配置されており、前記第二の磁化ストリップは、外部環境から実質的に隔離されるように覆われており、前記第二の支持構造体は、前記アクセス開口を開閉するために前記第一の支持構造体に対して選択的に移動可能であり、前記第一の支持構造体は、前記第二の支持構造体に対して接触、反対関係に配置され、前記第一の磁化ストリップと前記第二の磁化ストリップは、前記第一の支持構造体と前記第二の支持構造体を介して前記アクセス開口を閉じ状態に可逆的にシールする磁気シールを共働して形成するように動作する、前記封じ込め包装。
【請求項１７】
前記本体は、柔軟な拡張可能な封筒であり、前記アクセス開口は、前記封筒の第一の変形可能壁と前記封筒の第二の変形可能壁の間に配置されており、前記第一の変形可能壁は、前記第一の磁化ストリップを支持する前記第一の支持構造体を定め、前記第二の変形可能壁は、前記第二の磁化ストリップを支持する前記第二の支持構造体を定めている、請求項１６に記載の封じ込め包装。
【請求項１８】
前記第一の磁化ストリップは、前記内部から離れて対向している前記第一の変形可能壁の表面を横切って前記アクセス開口の第一の境界縁に実質的に隣接して平行関係に配置されており、前記第二の磁化ストリップは、前記内部から離れて対向している前記第二の変形可能壁の表面を横切って前記アクセス開口の第二の境界縁に実質的に隣接して平行関係に配置されている、請求項１７に記載の封じ込め包装。
【請求項１９】
前記本体は、前記アクセス開口が複数の周囲壁に囲まれたトレーであり、一つの周囲壁から離れて径方向に延びているフランジが、前記フランジの下側を横切って配置された前記第一の磁化ストリップを支持する前記第一の支持構造体を定め、前記アクセス開口を覆うように適合された取り外し可能な蓋が、前記蓋の上側表面を横切って配置された前記第二の磁化ストリップを支持する前記第二の支持構造体を定めており、前記取り外し可能な蓋は、リビングヒンジに沿ってトレーに効果的に連結され、複数の磁化ストリップが、前記リビングヒンジを含まずに、前記トレーの周囲の実質的にまわりに第一のパターンで延びており、複数の磁化ストリップが、前記リビングヒンジを含まずに、前記蓋の周囲のまわりに鏡像パターンで延びている、請求項１６に記載の封じ込め包装。
【請求項２０】
あらかじめ湿らされたワイパシートを包装する方法であり、前記方法は、
（ａ）封じ込め包装を準備することを有し、前記封じ込め包装は、
蒸発しやすい溶液であらかじめ湿らされた複数のワイパシートを受け入れて保管するように適合された内部を有している実質的に液体および蒸気不浸透性本体を備えており、前記本体は、アクセス開口を介してワイパシートの出し入れに適したアクセス開口を有しており、前記封じ込め包装はまた、
前記内部の外側の位置にあるある第一の支持構造体に支持された磁石を定める少なくとも一つの第一のシール要素と、
前記第一のシール要素に対する相補的磁気引力を有している少なくとも一つの第二のシール要素を備えており、前記第二のシール要素は、前記内部の外側の位置にある第二の支持構造体に配置されており、前記第二の支持構造体は、前記アクセス開口を開閉するために前記第一の支持構造体に対して選択的に移動可能であり、前記第一の支持構造体は、前記第二の支持構造体に対して接触、反対関係に配置され、前記第一のシール要素と前記第二のシール要素は、前記第一の支持構造体と前記第二の支持構造体を介して前記アクセス開口を閉じ状態に可逆的にシールする磁気シールを共働して形成するように動作し、前記方法はまた、
（ｂ）前記ワイパシートを前記封じ込め包装内に保管することを有している、方法。
【発明の詳細な説明】
【関連出願への相互参照】
【０００１】
この出願は、２０１１年８月３日に提出された米国仮出願６１／５１４，５８２の利益、および優先権を請求し、その内容は、あたかも完全にここに述べられるかのように、そのまま参照によってここに組み込まれる。
【技術分野】
【０００２】
本開示は、一般には、あらかじめ湿らされたクリーニングワイプのための包装アレンジメントに向けられており、より明確には、再シール可能開口を有し、前記開口を選択的にシールすることにより、クリーニングワイプを湿らせるために使用された溶剤または他の薬剤の蒸発を抑えるために使用される前記開口の周囲に隣接して配置された一つ以上の磁気ストリップが組み込まれた液体不浸透性封じ込め構造体が組み込まれたクリーニングワイプ包装に向けられている。
【背景技術】
【０００３】
織物構造体のクリーニングワイプが知られている。そのようなワイプは、溶剤または他の洗浄剤であらかじめ湿らされ、適切な包装内に保管されていることがある。そのような包装は、閉じ込められたワイプへのアクセスを得るために開かれ得るフレキシブル封筒容器の形をしていてよい。ワイプ包装はまた、取り外し可能な表面覆いまたは蓋を備えた比較的浅いトレーの形をしていてもよい。
【０００４】
使用中、個々のワイプが引き出されるとき、ワイプ包装の内部は、口開口を通して使用者によって複数回アクセスされることがある。使用の間に容器を閉じることによって、溶剤または他の洗浄剤の蒸発が低減され得る。単なる例として、ひとつのそのような従来の再シール可能包装が、米国特許第６，９７８，８８９号に説明されており、その内容はそのまま参照によって組み込まれる。そのようなシステムはうまく働くが、取り外し可能接着剤の接着力は多数の使用の後に低下することがある。したがって、柔軟な保管容器のための改良シールシステムの持続的な必要性がある。
【先行技術文献】
【特許文献】
【０００５】
【特許文献１】米国特許第６，９７８，８８９号
【発明の概要】
【０００６】
本開示は、蒸発しやすい溶液であらかじめ湿らされたワイプのための封じ込め包装を提供することによって、過去のワイパシート包装システムを超える利点および代案を提供する。封じ込め包装は、シール状態の溶液の蒸発を低減または防止するためにアクセス開口を選択的にシールするように適合された、少なくとも一組の対向磁気引力ストリップを備えたアクセス開口が組み込まれている。
【０００７】
一つの代表的な実施によれば、本開示は、蒸発しやすい溶液であらかじめ湿らされた複数のワイパシートを受け入れて保管するように適合された内部を有している液体および蒸気不浸透性本体を有している、あらかじめ湿らされたワイパシートのために封じ込め包装を提供する。前記本体は、アクセス開口を通したワイパシートの出し入れに適合されたアクセス開口を有している。磁石を定める少なくとも一つの第一のシール要素が、前記内部の外側の位置にある第一の支持構造体に支持されている。前記第一のシール要素に対する相補的磁気引力を有している磁化または非磁化特性の少なくとも一つの第二のシール要素が、前記内部の外側の位置にある第二の支持構造体に配置されている。前記第二の支持構造体は、前記アクセス開口を開閉するために前記第一の支持構造体に対して選択的に移動可能であり、前記第一の支持構造体が、前記第二の支持構造体に対して接触、反対関係に配置されたとき、前記第一のシール要素と前記第二のシール要素は、前記第一の支持構造体と前記第二の支持構造体を介して前記アクセス開口を閉じ状態に可逆的にシールする磁気シールを共働して形成するように動作する。あらかじめ湿らされたワイパシートを包装する方法も提供される。
【０００８】
開示の他の特徴および利点は、次の詳細な説明と特許請求の範囲と図面の検討を通してこの分野の当業者には明白になるであろう。
【図面の簡単な説明】
【０００９】
【図１】図１は、あらかじめ湿らされたワイパシートを保持するように適合された柔軟な封じ込め封筒構造の概要の斜視図であり、開き状態にある封筒を示している。
【図２】図２は、封筒が閉じ状態にある図１中の２−２線にほぼ沿って破断された概略断面図である。
【図３】図３は、図１および２に示されるような代表的包装封筒を形成するために使用され得る代表的材料ブランクの模式平面図である。
【図４】図４は、閉じ状態にある包装容器を示している、あらかじめ湿らされたワイパシートを保持するように適合された包装トレーの概要の斜視図である。
【図５】図５は、図４中の５−５線にほぼ沿って破断された概略断面である。
【００１０】
本発明は、図解され、ある代表的および潜在的に好ましい実施形態、実施および手順に関連して以下に説明されるが、本発明は、そのような図解および説明された実施形態、実施および手順のいずれにもまったく限定されないと理解すべきである。もっと正確に言えば、本発明の趣旨および範囲内に広くあり得るようなすべての代案および修正を覆うことが出願人の意図であると理解すべきである。
【発明を実施するための形態】
【００１１】
好適な実施の形態
いま図面を参照すると、同様の参照番号は、可能な程度まで、さまざまな図面の全体にわたって同様の要素の指すように利用されている。
【００１２】
図１および３を一緒に見ると、単層または多数層構造のどちらであってもよい多数のワイパシート１０のための代表的包装が示されている。単なる例として、ワイパシート１０は、溶剤または他の洗浄剤があらかじめ湿らされた、織物、ニット、または不織の吸収性繊維材料から作られてよいと考えられる。ワイパシートは、折り重なることを可能にするに十分な柔軟性を有している。
【００１３】
図１および２の実施形態では、ワイパシート１０は、液体および気体伝達に対して実質的に不浸透性である封筒本体を定めている、ホイルラミネートやこの分野の技術者に知られるような他の材料の柔軟な封じ込め封筒１２内に保管される。封じ込め封筒１２は、（ポーチ開口またはアクセス開口とも呼ばれる）再シール可能な口開口１４を有しており、変形可能壁の上部にある第一の境界縁１６と第二の境界縁１８は、口開口１４の長さに実質的に沿って対向関係に向けられている。図２に最も良く見えるように、第一の境界縁１６と第二の境界縁１８は、おのおの、封じ込め封筒材料を折り重ね、変形可能壁をそれ自体の上に形成し、口開口から外側寄りの層の間にポケットを備えた二重層カフス構造を確立することによって形成される。
【００１４】
いま図２を参照すると、示された代表的アレンジメントでは、磁気ストリップの形をしている第一のシール要素２０が、第一の境界縁１６よりも下のポケット内に実質的に覆われた封じ込め関係に配置されていてよい。第一のシール要素２０に磁気的に引き付けられる磁気ストリップまたは非磁化金属または他の材料の形をしている第二のシール要素２２が、第二の境界縁１８よりも下のポケット内に実質的に覆われた封じ込め関係に配置されていてよい。したがって、シール要素２０，２２は、口開口１４の全長に沿って好ましくは実質的に連続的に延びている効果的磁気シールを共働して形成する。相補的シール要素２０，２２は、境界縁１６，１８の内部に実質的に対応する高さに延びているように示されているが、境界縁よりも下のポケット内に望まれるとき、特に磁気ストリップは、任意の対向する高さ位置を占めてもよいと理解すべきである。
【００１５】
示されるように、もし望まれれば、第一のシール要素２０と第二のシール要素２２を封じ込めているポケットは閉じられていてよい。単なる例として、封筒材料の折り重ね部分は、表面シール２４を形成するためにシール要素２０，２２よりも下の高さで封筒本体の部分に粘着的に接合されたり熱シールされたりしていてよい。もし望まれれば、そのような表面シール２４は、封じ込め封筒１２の周囲に関して連続的または断続的に延びていてよい。表面シールが形成されているかどうかにかかわらず、シール要素２０，２２は、好ましくは、シール要素２０，２２が目に見えず、封じ込め封筒１２の外側接触表面を形成しないように、封筒材料の部分への折り重ね部分によって外部上に実質的に覆われている。したがって、シール要素２０，２２は、使用の環境中の他の表面から実質的に隔離されている。シール要素のこの隔離は、シール要素を形成している材料からの外側表面に対するあらゆる潜在的汚染を回避するほか、それらの一体化を維持することに有益であり得る。示された代表的構造体では、シール要素２０，２２のおのおのも、封じ込め封筒１２の内部から隔離されている。したがって、実際上、ワイパシート１０は、シール要素２０，２２を形成している材料と物理的接触状態に決してならない。したがって、シール要素によるどんな潜在的な汚染も回避される。
【００１６】
限定ではなく、単なる例として、少なくとも第一のシール要素２０は、ポリマー酸化第一鉄や同様物などの極性を定められた柔軟な特性の適切な磁化された材料から形成されていてよい。一つの代表的実施では、第二のシール要素２２は、第一のシール要素２０に対して逆極性のポリマー酸化第一鉄や同様物などの適切な磁化された材料から形成されていてよい。別の代表的実施では、第二のシール要素２２は、第一のシール要素２２に対する磁気引力を有している非磁化金属ストリップまたは他の材料であってよい。相補的シール要素２０，２２は、おのおの、望まれ得る接着剤や同様物を含む任意の適切な技術によって封じ込め封筒１２の変形可能壁の表面の適当な場所に固定されていてよい。したがって、封じ込め封筒の対向変形可能壁は、シール要素２０，２２のための支持表面を定め得る。認められるように、封じ込め封筒１２の外部にある相補的シール要素２０，２２の、ワイパシート１０とシール要素の間の壁を形成している封じ込め封筒の対向変形可能壁への配置は、ワイパシート１０が、封じ込め封筒を形成している材料によってのみ接触されることを保証する。
【００１７】
シール要素２０，２２の配置にかかわらず、それらは相補的磁気引力によって特徴付けられ、第一の境界縁１６を第二の境界縁１８と一緒に圧することが、封じ込め封筒１２を閉じて保持する（図２）有効磁気シールを確立することをもたらす。シール状態では、ワイパシートを湿らせている流体の蒸発が実質的に除去され得る。この点については、シール要素２０，２２の間の封筒材料の合計有効厚さは、封筒材料の対向表面が接触関係にあるときに、それにもかかわらず、磁気シール力が確立され維持されるようなものである。もちろん、この有効厚さは、対向シール要素によって生成される磁気力の強さに依存して変わり得る。使用時、シール状態は、第一の境界縁１６と第二の境界縁１８を手動で互いに引き離し、それにより封じ込め封筒１２を開くせん断力を加える使用者によって打ち負かされ得る（図１）。本開示のシールシステムが、従来の既知の柔軟な封じ込め封筒に使用されるのと同じフィルムラミネートと共に使用されるとき、シール状態では蒸発が実質的に除去され、使用中の周期的な開閉でも、蒸発損失は一般に開始重量の約１０％よりも少なく、より好ましくは約５％よりも少なくなり、最も好ましくは約２％よりも少なくなることが分かった。
【００１８】
示された代表的構造体では、封じ込め封筒１２の本体は、好ましくは、両端に端マチ３０（一方のみ図示）を有し、マチなし端シーム３２（一方のみ図示）が各マチから離れて口開口１４に延びているように形成されている。そのような構造体は、口開口における過剰な材料を回避しつつ、マチ３０の膨張によって比較的大量のワイパシート１０の包装を容易にする。単なる例として、また限定することなく、そのような構造は、図３に示されるようなホイルラミネート材の対称的パネル４０を二分折り重ね線４２に沿って折り重ね、次に折り重なり周囲縁を熱シールまたは他の方法で連結して三次元構造体を形成することによって形成され得る。それによって、図１および２に示されるようなマチ付き封筒が提供される。もちろん、望まれれば、どんな個数の他の構造アレンジメントが使用されてもよい。
【００１９】
封じ込め封筒１２のための磁気シールを形成する相補的シール要素の使用は、多数の性能利益を提供する。単なる例として、シールが磁気であるので、多数の使用に続くシール強度の低下はない。これは、多数の使用の後に低下し得る接着シールまたは物理的シールと対照され得る。別の利益は、グローブを着用している使用者によってシールが容易に活性化され得るということである。また別の利益は、似てない表面の間のスライド接触の欠如のために、粒子生成の低減された傾向である。この点については、シール要素２０，２２が封じ込め封筒の外部にあるとき、粒子生成の低減は特に大きくなり得る。また別の利益は、溶剤または他の湿らせ液体との化学互換性を維持する能力である。この点については、封じ込め封筒１２のホイルまたは他の基礎材料だけが、溶剤または他の湿らせ液体と接触するので、化学互換性を維持する利益は、シール要素２０，２２が封じ込め封筒１２の外部にあると、特に大きくなり得る。さらに、そのようなアレンジメントでは、シールは、封じ込め封筒１２を形成するホイルまたは他の基礎材料の接触に面する面によって形成される。そのような材料は、溶剤に対して不浸透性であり得るので、任意の揮発性の蒸発物の封じ込めが向上される。
【００２０】
図４および５は、本開示と調和する別の代表的実施形態を示している。この代表的実施形態では、ワイプ容器１３０は、凹状構造のトレー本体１３２を有し、トレー本体１３２の上側周囲縁に一体フランジ１３４が配置されている。選択的に配置可能な蓋１３６が、トレー本体１３２に体知る覆い関係に横たわって提供される。トレー本体１３２と蓋１３６は両方とも、トレー本体１３２の内部に保管されるワイパシート（図示せず）を湿らせるあらゆる溶剤に対して実質的に不浸透性であるＰＥＴ、マイラー、高密度ポリプロピレン、または同様物などの材料から形成されてよい。もし望まれれば、トレー本体１３２は、リビングヒンジ１４０または他のヒンジ連結に沿って、蓋１３６に効果的に連結されていてよい。しかしながら、トレー本体１３２と蓋１３６はまた、個別に独立した構造体であってもよい。
【００２１】
示されるように、代表的構造体では、前述された様な磁気ストリップまたは同様物などのシール要素１５０の第一のアレンジメントは、蓋１３６の周囲に沿って、蓋１３６の自由縁に従ったほぼ蹄鉄形状パターンに配置されている。シール要素１５０の第一のアレンジメントは、磁石を定めるポリマー酸化第一鉄または同様物などの適切な磁化された材料から形成されてよく、望まれ得る接着剤または同様物を含む任意の適切な技術によって支持構造体を定める蓋１３６の表面の適当な場所に固定されていてよい。
【００２２】
図５に最も良く見えるように、シール要素１５０の第一のアレンジメントは、上側キャップ構造体１２によって覆われてよい。上側キャップ構造体１５２は、蓋１３６と同じ材料から形成されてよく、接着接合、溶融接合または同様なものを含む任意の適切な技術によって適当な場所に保持されてよい。しかしながら、他の構造の材料と取り付け技術が使用されてもよい。最終構造体では、上側キャップ構造体１５２は、シール要素１５０の第一のアレンジメントを実質的に包み得る。したがって、シール要素１５０の第一のアレンジメントは、使用の環境の他の表面から実質的に隔離され得る。この隔離は、シール要素１５０の第一のアレンジメントを形成している材料からのあらゆる潜在的汚染を回避するほか、シール要素の一体化を維持することに有益であり得る。もちろん、上側キャップ構造体は、もし望まれれば、除去されてよいと考えられる。
【００２３】
示されるように、シール要素１５０の第一のアレンジメントは、蓋１３６が閉じ状態にあるとき、フランジ１３４の表面にほぼ整列されるように配置される。シール要素１６０の第二のアレンジメントは、フランジ１３４の下側に配置されてよい。この点については、シール要素１６０の第二のアレンジメントは、シール要素１５０の第一のアレンジメントに対する実質鏡像パターンを有していてよい。したがって、示された代表的構造体では、シール要素１６０の第二のアレンジメントは、ほぼ蹄鉄形状パターンを有している。しかしながら、他のパターンが使用されてもよい。
【００２４】
一つの代表的実施では、シール要素１６０の第二のアレンジメントは、シール要素１５０の第一のアレンジメントに対して逆極性のポリマー酸化第一鉄または同様物などの適切な磁化された材料から形成されてよい。別の代表的実施では、シール要素１６０の第二のアレンジメントは、非磁化金属ストリップまたはシール要素１５０の第一のアレンジメントに対する磁気引力を有している他の材料の形をしていてよい。磁化および非磁化材料の組み合わせが、シール要素１５０の第一のアレンジメントおよび／またはシール要素１６０の第二のアレンジメントに使用されてよいことも考えられる。シール要素１６０の第二のアレンジメントは、望まれ得る接着剤または同様物を含む任意の適切な技術によって支持構造体を定めているフランジ１３４の下側の適当な場所に固定されてよい。
【００２５】
図５に最も良く見えるように、シール要素１６０の第二のアレンジメントは、下側キャップ構造１６２によって覆われていてよい。下側キャップ構造１２は、トレー本体１３２と同じ材料から形成されてよく、接着接合、溶融接合または同様のものを含む任意の適切な技術によって適当な場所に保持されてよい。しかしながら、他の構造の材料と取り付け技術が使用されてもよい。最終構造体では、下側キャップ構造体１６２は、シール要素１６０の第二のアレンジメントを実質的に包み得る。したがって、シール要素１６０の第二のアレンジメントは、使用の環境の他の表面から実質的に隔離され得る。この隔離は、シール要素１６０の第二のアレンジメントを形成している材料からのあらゆる潜在的汚染を回避するほか、シール要素の一体化を維持することに有益であり得る。もちろん、下側キャップ構造体１６２は、もし望まれれば、除去されてよいと考えられる。
【００２６】
シール要素１５０の第一のアレンジメントとシール要素１６０の第二のアレンジメントは磁気引力によって特徴づけられ、蓋１３６をフランジ１３４に圧することが、容器１３０を閉じて保持する磁気シールを確立することをもたらす。この点については、対向磁気ストリップ１５０，１６０の間のフランジ１３４と蓋１３６の合計有効厚さは、蓋１３６の下側がフランジ１３４の上側表面に接触するときに、磁気シール力が確立され維持されるようなものである。もちろん、この有効厚さは、対向シール要素によって生成される磁気力の強さに依存して変わり得る。使用中、シール関係は、内部へのアクセスを提供するために、フランジ１３４から蓋１３６を引き離し、それにより容器１３０を開くせん断力を加える使用者によって打ち負かされ得る。この点については、シール要素から外側に広がるゾーンが、開き手順の間に使用者によってつかまれる指タブを定めていてよい。
【００２７】
前に示したように、示された代表的アレンジメントでは、相補的シール要素１５０，１６０は、容器の前方縁と側方縁側に沿って延びているほぼ蹄鉄パターンに配されている。このアレンジメントでは、蓋１３６は、リビングヒンジ１４０に沿って取り付けられたままであってよい。したがって、蓋１３６は、持ち上げられてトレー本体１３２から離れてアクセス開口を露出させ、次に、対向シール要素の確かな整列と置き換わってよい。もちろん、もし望まれれば、磁気ストリップにはどんな個数の他のパターンが同様に使用されてよい。
【００２８】
開示は、次の非限定的比較例に対する参照を通してさらに理解され得る。
【００２９】
比較例
磁気閉じポーチ包装の三つのサンプルが、５０％のイソプロピルアルコールと５０％のアセトンの混合物で湿らされた多数のワイプをポーチ中に置くことによって用意された。ベースラインコントロールと比較のため、同様のセットのサンプルワイプが用意されたが、磁気閉じポーチと同じ材料構造体のポーチの中に置かれ、熱的にシールされて閉じられた。連続三十日間について一日に一回、ワイプの取り出しを装うために、各磁気閉じポーチが短く開かれ、次に閉じられたが、内容重量を維持し、蒸発による溶剤損失による重量変化を分離するためにワイプはトニ除かれなかった。シールされたポーチワイプのコントロールセットは、ポーチ構造体の同じ材料での最大の溶剤封じ込めを確立するために開かれなかった。それから、各ポーチの重量が、両方のサンプルセットから、取られ記録された。各日測定について、各サンプルセットの三つのポーチの重量を平均し、試験の開始（０日）における平均重量と比較した平均ポーチ重量の変化を計算することからなる分析がおこなわれた。結果は、以下の表１に示されている。見て取れるように、磁気シールポーチは、同じ条件の完全にシールされ割り込まれなかったポーチと比較して、それらの総初期叢中重量の１．５％よりも少なく損失した。
【表１】
2014525879.tif 000003
【００３０】
もちろん、上述したものの変更および修正は本発明の範囲内にある。したがって、ここに開示され定められた本発明は、述べられた、または本文および／または図面から明白な個々の特徴の二以上の代替組み合わせのすべてに及ぶと理解すべきである。これらの異なる組み合わせはすべて、本発明のさまざまな代替側面を構成する。ここに説明された実施形態は、本発明を実施するために知られる最良の形態を説明しており、この分野の他の当業者が本発明を利用することを可能にする。特許請求の範囲は、代替実施形態と、先行技術によって許される程度の等価物を含むと解釈すべきである。
【図１】
2014525879.tif 000004
【図２】
2014525879.tif 000005
【図３】
2014525879.tif 000006
【図４】
2014525879.tif 000007
【図５】
2014525879.tif 000008
【国際調査報告】
2014525879.tif 000009
2014525879.tif 000010